(57)【要約】      （修正有）【課題】組み立て/分解可能式に組み立て、中空の内部には物品を収容でき、内部の収容空間と外観形状を変えることができる組み立てバッグを提供する。【解決手段】組み立てバッグ１０は、少なくとも２枚の側面材料１１、少なくとも４本のファスナー２０を組み合せて構成する。２枚の側面材料は、相同の形状であり、各辺にファスナーをそれぞれ設置する。各ファスナーヘッド２１により各ファスナーを合わせると、２枚の側面材料は一体に結合され、中空の内部を形成し、物品を収容設置可能となる。周辺にファスナーを設置した多数の側面材料を使用すれば、異なる収容設置空間と異なる外観形状を備える組み立てバッグが得られる。【選択図】図１
0003195093.tif 000002
【実用新案登録請求の範囲】
【請求項１】
組み立てバッグであって、少なくとも２枚の側面材料、少なくとも４本のファスナーを備え、
前記２枚の側面材料は、相同の形状で、
前記４本のファスナーは、前記２枚の側面材料の各辺にそれぞれ設置され、前記ファスナーの両辺は、前記２枚の側面材料の対応する両辺上にそれぞれ連接され、
各ファスナーヘッドにより、各ファスナーを合わせると、２枚の側面材料は一体に結合され、中空の内部を形成し、物品を収容設置可能な組み立てバッグを形成し、
１本のファスナーを開くと、その開かれたファスナーは、組み立てバッグの開口部を形成し、この開口端より、物品を出し入れできることを特徴とする組み立てバッグ。
【請求項２】
前記側面材料は、前記２枚の側面材料上に設置するひも状ベルトを備え、
前記ひも状ベルトの一端は、片方の側面材料の表面に連接し、もう一端は、もう片方の側面材料の表面に連接し、この組み立てバッグのショルダーベルト或いはハンドベルトを形成することを特徴とする請求項１に記載の組み立てバッグ。
【請求項３】
前記側面材料は、対応する位置の４枚の側面材料上に設置する２本のひも状ベルトを備え、この組み立てバッグのショルダーベルト或いはハンドベルトを形成することを特徴とする請求項１に記載の組み立てバッグ。
【請求項４】
前記側面材料は、面積が大きな側面材料を使用でき、対応する長さのファスナーを組合せ、たくさんの面積が小さな側面材料に置換でき、ファスナーの使用量を減らすことができることを特徴とする請求項１に記載の組み立てバッグ。
【請求項５】
組み立てバッグであって、多数枚の側面材料、多数本のファスナー、少なくとも１本のひも状ベルトを備え、
前記多数枚の側面材料は、相同の形状、或いは異なる形状で、
前記多数本のファスナーは、対応する前記側面材料の各辺にそれぞれ設置され、前記ファスナーの両辺は、相互に隣接する前記２枚の側面材料の対応する両辺上にそれぞれ連接され、
前記少なくとも１本のひも状ベルトの一端は、１枚の側面材料の表面に連接し、もう一端は、対応する位置の側面材料の表面に連接し、
各ファスナーヘッドにより、各ファスナーを合わせると、各側面材料は一体に結合され、中空の内部を形成し、物品を収容設置可能な組み立てバッグを形成し、
１本のファスナーを開くと、その開かれたファスナーは、組み立てバッグの開口部を形成し、この開口端より、物品を出し入れできることを特徴とする組み立てバッグ。
【考案の詳細な説明】
【技術分野】
【０００１】
本考案は、組み立てバッグに関し、周辺にファスナーを設置する少なくとも２枚の側面材料を使用し、組み立て/分解可能式に組み立て、中空の内部には物品を収容でき、組み立ての面白味と実用性を兼ね備えた組み立てバッグに関する。
【背景技術】
【０００２】
各種レザーバッグ、携帯用バッグ、ハンドバッグ、キャリーバッグなどの内部には、各種の携帯用品を収納することができる。これにより、複雑で多様な細々した物品を、便利に携帯することができる。機能と用途に応じて、レザーバッグ、携帯用バッグ、ハンドバッグ、キャリーバッグなどにも様々な構造や様式が存在する。これらレザーバッグ、携帯用バッグ、ハンドバッグ、キャリーバッグなどは、皮革、合成皮革、キャンバス生地、或いは混合材料を用いて、開口端を備えた中空の単一構造体に製造される。そのため、これらは外観及び内部の収容空間共に、一定で改変することができない。これでは、使用における適用性が低く、外観やサイズにおいても任意の変化を加えることができない。
【考案の概要】
【考案が解決しようとする課題】
【０００３】
しかし、上述した考案は使用上に欠点があり、改善する必要がある。その原因は下記の通りである。
【０００４】
上述した考案においては、外観及び内部の収容空間共に、一定で改変することができないため、使用における適用性が低く、外観やサイズにおいても任意の変化を加えることができない。
【０００５】
本考案は、上述の問題に鑑みてなされたものであり、その第一の目的は、周辺にファスナーを設置する少なくとも２枚の側面材料を使用し、組み立て/分解可能式に組み立て、中空の内部には物品を収容でき、組み立ての面白味と実用性を兼ね備えた組み立てバッグを提供することにある。
【０００６】
本考案は、上述の問題に鑑みてなされたものであり、その第二の目的は、使用の必要に応じて、周辺にファスナーを設置する多数枚の側面材料を使用し、組み立て/分解可能式に組み立て、中空の内部には物品を収容でき、内部の収容空間と外観形状を変えることができる組み立てバッグを提供することにある。
【課題を解決するための手段】
【０００７】
本考案による組み立てバッグは、組み立ての面白味と実用性を兼ね備えた組み立てバッグであって、少なくとも２枚の側面材料、少なくとも４本のファスナーを組み合せて構成される。
２枚の側面材料は、相同の形状である。
４本のファスナーは、２枚の側面材料の各辺にそれぞれ設置される。
各ファスナーヘッドにより、各ファスナーを合わせると、２枚の側面材料は一体に結合され、中空の内部を形成し、物品を収容設置可能な組み立てバッグを形成する。
１本のファスナーを開くと、その開かれたファスナーは、組み立てバッグの開口部を形成し、この開口端より、物品を出し入れできる。
本考案の各種実施形態においては、周辺にファスナーを設置する多数の側面材料を使用すれば、異なる収容設置空間と異なる外観形状を備える組み立てバッグを組み立て/分解式に組み立てることができる。
本考案の組み立てバッグは、少なくとも２枚の側面材料の外表面に、ひも状ベルトを設置し、組み立てバッグのショルダーベルト或いはハンドベルトを形成する。
本考案の組み立てバッグは、周辺にファスナーを設置する少なくとも２枚の側面材料を使用し、組み立て/分解可能式に組み立て、中空の内部には物品を収容でき、組み立ての面白味と実用性を兼ね備える。
本考案の組み立てバッグは、使用の必要に応じて、周辺にファスナーを設置する多数枚の側面材料を使用し、組み立て/分解可能式に組み立て、中空の内部には物品を収容でき、内部の収容空間と外観形状を変えることができる。
【考案の効果】
【０００８】
本考案の組み立てバッグは、組み立て/分解式の設計であるため、使用の必要に応じて、異なる数の側面材料とファスナーを使用し、或いはひも状ベルトを設置する側面材料を対応させ、内部収容設置空間が異なり、また外観形状が異なる組み立てバッグを組み立てることができる。使用しない時には、組み立てバッグの各側面材料は、速やかに分解でき、組み立ての面白味と実用性をも兼ね備え、本考案の予期の目的を達成することができる。
【図面の簡単な説明】
【０００９】
【図１】本考案組み立てバッグの第一実施形態の構造図である。
【図２】本考案組み立てバッグの第二実施形態の構造図である。
【図３】本考案組み立てバッグの第三実施形態の構造図である。
【図４】本考案組み立てバッグの第四実施形態の構造図である。
【図５】本考案組み立てバッグの第五実施形態の構造図である。
【図６】本考案組み立てバッグの第六実施形態の構造図である。
【考案を実施するための形態】
【００１０】
［実施例１］
本考案の一実施形態による組み立てバッグを図面に基づいて説明する。本考案組み立てバッグの第一実施形態の構造図である図１に示すように、本考案の組み立てバッグ１０は、２枚の側面材料１１、４本のファスナー２０を組み合せて構成する。
【００１１】
２枚の側面材料１１は、相同の形状である。４本のファスナー２０は、２枚の側面材料１１の各辺にそれぞれ設置される。ファスナー２０の両辺は、２枚の側面材料１１の対応する両辺上にそれぞれ連接される。
【００１２】
各ファスナーヘッド２１により、各ファスナー２０を合わせると、２枚の側面材料１１は一体に結合され、中空の内部を形成する。こうして、物品を収容設置可能な組み立てバッグ１０を形成することができる。
【００１３】
１本のファスナー２０を開くと、その開かれたファスナー２０は、この組み立てバッグ１０の開口部を形成し、この開口端より、物品を出し入れすることができる。
【００１４】
本考案組み立てバッグの第二実施形態の構造図である図２に示すように、本考案の組み立てバッグ１０は、２枚の側面材料１１、４本のファスナー２０、１本のひも状ベルト３０を組み合せて構成する。
【００１５】
２枚の側面材料１１は、相同の形状である。２枚の側面材料１１上には、ひも状ベルト３０を設置する。ひも状ベルト３０の一端は、片方の側面材料１１の表面に連接し、もう一端は、もう片方の側面材料１１の表面に連接し、この組み立てバッグ１０のショルダーベルト或いはハンドベルトを形成する。
【００１６】
ひも状ベルト３０は、長さを調整でき、或いは組み立てバッグ１０から取り外すことができる。
【００１７】
４本のファスナー２０は、２枚の側面材料１１の各辺にそれぞれ設置される。ファスナー２０の両辺は、２枚の側面材料１１の対応する両辺上にそれぞれ連接される。
【００１８】
各ファスナーヘッド２１により、各ファスナー２０を合わせると、２枚の側面材料１１は一体に結合され、中空の内部を形成する。こうして、物品を収容設置可能な組み立てバッグ１０を形成することができる。
【００１９】
１本のファスナー２０を開くと、その開かれたファスナー２０は、この組み立てバッグ１０の開口部を形成し、この開口端より、物品を出し入れすることができる。
【００２０】
本考案組み立てバッグの第三実施形態の構造図である図３に示すように、本考案の組み立てバッグ１０は、８枚の側面材料１１、１６本のファスナー２０を組み合せて構成する。
【００２１】
２枚の側面材料１１は、相同の形状である。各ファスナー２０は、各側面材料１１の各辺にそれぞれ設置される。ファスナー２０の両辺は、隣接する２枚の側面材料１１の対応する両辺上にそれぞれ連接される。
【００２２】
各ファスナーヘッド２１により、各ファスナー２０を合わせると、８枚の側面材料１１は一体に結合され、中空の内部を形成する。こうして、物品を収容設置可能な組み立てバッグ１０を形成することができる。
【００２３】
１本のファスナー２０を開くと、その開かれたファスナー２０は、この組み立てバッグ１０の開口部を形成し、この開口端より、物品を出し入れすることができる。
【００２４】
本考案組み立てバッグの第四実施形態の構造図である図４に示すように、本考案の組み立てバッグ１０は、１２枚の側面材料１１、２４本のファスナー２０、２本のひも状ベルト３０を組み合せて構成する。
【００２５】
各側面材料１１は、相同の形状である。位置が対応する４枚の側面材料１１上には、２本のひも状ベルト３０を設置し、この組み立てバッグ１０のショルダーベルト或いはハンドベルトを形成する。
【００２６】
ひも状ベルト３０は、長さを調整でき、或いは組み立てバッグ１０から取り外すことができる。
【００２７】
各ファスナー２０は、各側面材料１１の各辺にそれぞれ設置される。ファスナー２０の両辺は、隣接する２枚の側面材料１１の対応する両辺上にそれぞれ連接される。
【００２８】
各ファスナーヘッド２１により、各ファスナー２０を合わせると、１２枚の側面材料１１は一体に結合され、中空の内部を形成する。こうして、物品を収容設置可能な組み立てバッグ１０を形成することができる。
【００２９】
１本のファスナー２０を開くと、その開かれたファスナー２０は、この組み立てバッグ１０の開口部を形成し、この開口端より、物品を出し入れすることができる。
【００３０】
本考案組み立てバッグの第五実施形態の構造図である図５に示すように、本考案の組み立てバッグ１０は、２２枚の側面材料１１、４４本のファスナー２０、２本のひも状ベルト３０を組み合せて構成する。
【００３１】
各側面材料１１は、相同の形状である。位置が対応する４枚の側面材料１１上には、２本のひも状ベルト３０を設置し、この組み立てバッグ１０のショルダーベルト或いはハンドベルトを形成する。
【００３２】
ひも状ベルト３０は、長さを調整でき、或いは組み立てバッグ１０から取り外すことができる。
【００３３】
各ファスナー２０は、各側面材料１１の各辺にそれぞれ設置される。ファスナー２０の両辺は、隣接する２枚の側面材料１１の対応する両辺上にそれぞれ連接される。
【００３４】
各ファスナーヘッド２１により、各ファスナー２０を合わせると、２２枚の側面材料１１は一体に結合され、中空の内部を形成する。こうして、物品を収容設置可能な組み立てバッグ１０を形成することができる。
【００３５】
１本のファスナー２０を開くと、その開かれたファスナー２０は、この組み立てバッグ１０の開口部を形成し、この開口端より、物品を出し入れすることができる。
【００３６】
本考案組み立てバッグの第六実施形態の構造図である図６に示すように、本考案の組み立てバッグ１０は、１９枚の側面材料１１、２８本のファスナー２０、１本のひも状ベルト３０を組み合せて構成する。
【００３７】
各側面材料１１は、相同の形状である。位置が対応する２枚の側面材料１１上には、ひも状ベルト３０を設置し、この組み立てバッグ１０のショルダーベルト或いはハンドベルトを形成する。
【００３８】
ひも状ベルト３０は、長さを調整でき、或いは組み立てバッグ１０から取り外すことができる。
【００３９】
各ファスナー２０は、各側面材料１１の各辺にそれぞれ設置される。ファスナー２０の両辺は、隣接する２枚の側面材料１１の対応する両辺上にそれぞれ連接される。
【００４０】
各ファスナーヘッド２１により、各ファスナー２０を合わせると、１９枚の側面材料１１は一体に結合され、中空の内部を形成する。こうして、物品を収容設置可能な組み立てバッグ１０を形成することができる。
【００４１】
１本のファスナー２０を開くと、その開かれたファスナー２０は、この組み立てバッグ１０の開口部を形成し、この開口端より、物品を出し入れすることができる。
【００４２】
実際の製造においては、本考案の組み立てバッグ１０は、他の違った形状の側面材料を使用し、対応する長さのファスナーを組合せて、上記した実施形態に示す正方形の側面材料１１と長さが一定のファスナー２０に置換することができる。
【００４３】
例えば、長方形の側面材料を使用し、対応する長さのファスナーを組合せ、上記した実施形態における２枚の側面材料１１に置換し、ファスナー２０の使用数を減らすことができる。
【００４４】
さらに、長方形の側面材料を使用し、対応する長さのファスナーを組合せ、上記した実施形態における３枚の側面材料１１に置換し、ファスナー２０の使用数を減らすことができる。
【００４５】
またさらに、長方形の側面材料を使用し、対応する長さのファスナーを組合せ、上記した実施形態における６枚の側面材料１１に置換し、ファスナー２０の使用数を減らすことができる。
【００４６】
或いは、正方形の側面材料を使用し、対応する長さのファスナーを組合せ、上記した実施形態における４枚の側面材料１１に置換し、ファスナー２０の使用数を減らすことができる。
【００４７】
上記した本考案の組み立てバッグ１０は、組み立て/分解式の設計であるため、使用の必要に応じて、異なる数の側面材料１１とファスナー２０を使用し、或いはひも状ベルト３０を設置する側面材料１１を対応させ、内部収容設置空間が異なり、また外観形状が異なる組み立てバッグ１０を組み立てることができる。使用しない時には、組み立てバッグ１０の各側面材料１１は、速やかに分解でき、組み立ての面白味と実用性をも兼ね備え、本考案の予期の目的を達成することができる。
【符号の説明】
【００４８】
１０  組み立てバッグ
１１  側面材料
２０  ファスナー
２１  ファスナーヘッド
３０  ひも状ベルト
【図１】
0003195093.tif 000003
【図２】
0003195093.tif 000004
【図３】
0003195093.tif 000005
【図４】
0003195093.tif 000006
【図５】
0003195093.tif 000007
【図６】
0003195093.tif 000008